(57)【特許請求の範囲】
【請求項１】
洋式便座を備えたトイレの側壁に備えるための排便介助装置であって、
前記側壁に設けられた介助手摺部に固定する基礎部と、
該基礎部に対して、垂直方向へ回動可能で、水平方向にスライド可能なテーブル部とを有し、
前記基礎部は、壁面に圧着させる支持脚部と、前記介助手摺部に固着する固定部と、前記スライドしたテーブル部を水平状態で適宜の位置にロック及びロック解除するロック手段とを備え、
前記テーブル部は、テーブル部材をスライド可能に支持するスライド部を有し、該スライド部は前記固定部に設けたレール部に嵌合してスライドするようにしたことを特徴する排便介助装置。
【請求項２】
前記テーブル部のテーブル部材には、被介護者の腹部の形状に沿った湾曲した湾曲受部を設けるとともに、前記ロック手段は被介護者の使用時にテーブル部材の手前下側に位置するようにしたことを特徴とした請求項１に記載の排便介助装置。
【請求項３】
前記テーブル部の前記スライド部は水平に伸びる長孔を備え、
前記基礎部の前記ロック手段は、該長孔に対応するレール部に雌ネジを設けて、該長孔を貫通するように雄ネジを前記雌ネジに嵌合して、雄ネジの頭部のツマミでスライド部をレール部に締め付け或いは緩めて、水平状態の前記テーブル部下の適宜の位置でロック或いはロック解除するロック手段であることを特徴する請求項１又は２に記載の排便介助装置。
【請求項４】
前記基礎部側には前記テーブル部がトイレの前方位置でのみ垂直に跳ね上げことが出来る規制板を設けたことを特徴する請求項１又は２又は３に記載の排便介助装置。
【発明の詳細な説明】
【技術分野】
【０００１】
本発明は、病人や高齢者等に洋式便座を用いるトイレの壁面に取り付けられた介助手すりを利用して設置する便秘時排便介助を行う装置に関するものである。
【背景技術】
【０００２】
従来より、病人や高齢者等のトイレ使用は転倒等の事故が生じやすく、そのため、特許文献１に開示されているように、被介護者が車椅子から着座したまま便器まで移動する介護用トイレシステムが提案されている。
特に、運動機会が少ない病人や高齢者等は便秘症になることが多く、便秘症解消のための排便介助をするための装置が求められ、便秘時は下腹に力を入れ前かがみの姿勢になることが多く、便座から前方に転がり落ちる事故も多発している。  このため、特許文献２に示すように、トイレ内に置く小テーブルが提案されているが、狭いトイレ内では邪魔になる場合があり、便座への着座、立ち上がりに支障をきたすという不都合があった。
このため、特許文献３に示すように、トイレ便座の側面に設置されている介助手すりに取り付けて、使用者の前方任意の位置に介助アームを固定し、アームにつかまることにより排便姿勢を保つと共に下腹部に力を入れる助けにし、かつ便座前方への落下防止の役目を果たす排便介助装置が提案されている。
【先行技術文献】
【特許文献】
【０００３】
【特許文献１】特開２０１１−２３９９２０号公報
【特許文献２】特開２００７−２９５号公報
【特許文献３】特願２０１４−１２０４８号
【発明の概要】
【発明が解決しようとする課題】
【０００４】
ところで、前述した特許文献３は、床まで延びる垂直支柱が必要であり、使用者がこの支柱の根本につまずいたり、使用者が簡単に目の前の蝶ネジを緩めることが出来るので、これを自ら安易に緩めて介助アームを回動自在して転倒事故を起こすことも多かった。
本発明の課題は、上述した問題点に鑑みてなされたもので、病人や高齢者等の被介護者が洋式便座を使用する際に、前かがみの姿勢になって力んでも、トイレの洋式便座から転落しないようし、下腹に力を入れやすくし、かつ、洋式便座に座る場合や退出する場合に、出入りがスムースで、つまずくことが無い排便介助装置を提供しようとするものである。
【課題を解決するための手段】
【０００５】
上記課題を解決するために、請求項１の発明は、洋式便座を備えたトイレの側壁に備えるための排便介助装置であって、前記側壁に設けられた介助手摺部に固定する基礎部と、該基礎部に対して、垂直方向へ回動可能で、水平方向にスライド可能なテーブル部とを有し、基礎部は、スライドしたテーブル部を水平状態で適宜の位置にロックするロック手段を備えることを特徴する排便介助装置である。
請求項２の発明は、請求項１に記載のトイレ用の排便介助装置において、前記テーブル部のテーブル部材には、被介護者の腹部の形状に沿った湾曲した湾曲受部を設けるとともに、前記ロック手段はテーブル部を被介護者の使用時にテーブル部材の手前下側に位置するようにしたことを特徴とする。
請求項３の発明は、請求項１又は２に記載のトイレ用の排便介助装置において、
前記基礎部は、壁面に圧着させる支持脚部と、前記介助手摺部に固着する固定部を備え、前記テーブル部は、該テーブル部材をスライド可能に支持するスライド部を有し、該スライド部は前記固定部に設けたレール部に嵌合してスライドすることを特徴する。
請求項４の発明は、請求項３に記載のトイレ用の排便介助装置において、前記テーブル部の前記スライド部は水平に伸びる長孔を備え、前記基礎部の前記ロック手段は、該長孔に対応するレール部に雌ネジを設けて、該長孔を貫通するように雄ネジを前記雌ネジに嵌合して、雄ネジの頭部のツマミでスライド部をレール部に締め付け或いは緩めて、水平状態の前記テーブル部下の適所でロック或いはロック解除するロック手段であることを特徴する。
請求項５の発明は、請求項１又は２又は３又は４に記載のトイレ用の排便介助装置において、前記基礎部側にはテーブル部がトイレの前方位置(手前位置)でのみ垂直に跳ね上げることが出来る規制板を設けたことを特徴する。
【発明の効果】
【０００６】
上記の課題を解決するために、請求項１の発明は、洋式便座を備えたトイレの側壁に備えるための排便介助装置であって、前記側壁に設けられた介助手摺部に固定する基礎部と、該基礎部に対して、垂直方向へ回動可能で、水平方向にスライド可能なテーブル部とを有し、
前記基礎部は、壁面に圧着させる支持脚部と、前記介助手摺部に固着する固定部と、前記スライドしたテーブル部を水平状態で適宜の位置にロック及びロック解除するロック手段とを備え、
前記テーブル部は、テーブル部材をスライド可能に支持するスライド部を有し、該スライド部は前記固定部に設けたレール部に嵌合してスライドするようにしたことを特徴する排便介助装置である。
請求項２の発明は、請求項１に記載のトイレ用の排便介助装置において、前記テーブル部のテーブル部材には、被介護者の腹部の形状に沿った湾曲した湾曲受部を設けるとともに、前記ロック手段はテーブル部を被介護者の使用時にテーブル部材の手前下側に位置するようにしたことを特徴とする。
請求項３の発明は、請求項１又は２に記載のトイレ用の排便介助装置において、前記テーブル部の前記スライド部は水平に伸びる長孔を備え、前記基礎部の前記ロック手段は、該長孔に対応するレール部に雌ネジを設けて、該長孔を貫通するように雄ネジを前記雌ネジに嵌合して、雄ネジの頭部のツマミでスライド部をレール部に締め付け或いは緩めて、水平状態の前記テーブル部下の適宜の位置でロック或いはロック解除するロック手段であることを特徴する。
請求項４の発明は、請求項１又は２又は３に記載のトイレ用の排便介助装置において、前記基礎部側にはテーブル部がトイレの前方位置でのみ垂直に跳ね上げことが出来る規制板を設けたことを特徴する。
【図面の簡単な説明】
【０００７】
【図１】本発明の実施例のトイレ用の排便介助装置のテーブル部３を跳ね上げ状態のトイレ内での斜視図、
【図２】同、テーブル部３を水平に回動した状態のトイレ内での斜視図、
【図３】同、テーブル部３を水平にして押し込んで使用状態にしたトイレ内での斜視図、
【図４】図１の排便介助装置の拡大斜視図、
【図５】図４の左側面図、
【図６】図２の底排便介助装置の拡大斜視図、
【図７】図６の平面図、
【図８】図４のテーブル部３の部分部分拡大図、
【図９】図６のテーブル部３の部分部分拡大図、
【図１０】図８のテーブル部３を跳ね上げた状態の回動部５の部分拡大斜視図、
【図１１】図９のテーブル部３を水平した状態の回動部５の部分拡大斜視図、
【図１２】図３の底排便介助装置の拡大斜視図である。
【発明を実施するための形態】
【０００８】
本発明のトイレ用の排便介助装置は、病人や高齢者等の被介護者が洋式便座を使用する際に、テーブル部が洋式便座の前方で垂直及び水平に回動するともに水平状態では前後にスライドさせ、介護者が水平上状態で後方に押し込んだ適宜の位置でロック手段でロックするようにして、被介護者が前かがみの姿勢になって力んでも、トイレ便座から転落しないよう、下腹に力を入れやすくし、かつ、洋式便座に座る場合や退出する場合に、出入りがスムースで、つまずくことが無い排便介助装置を実現したものである。以下に、本発明のトイレ用の排便介助装置の実施例の詳細を図面に沿って説明する。
【実施例】
【０００９】
図１は、本発明のトイレ用の排便介助装置１の実施例において、トイレＡ及び洋式便座Ｂに設けて、被介護者がトイレＡを使用しない状態の図で、テーブル部３を跳ね上げて垂直状態の前方から斜め上方からの斜視図であり、図２は、図１のトイレ用の排便介助装置１において、被介護者が洋式便座Ｂに座った後に、テーブル部３を水平状態に倒した状態の斜視図であり、図３は図２のトイレ用の排便介助装置１の水平状態のテーブル部３を後方に押し込んで、被介護者が排便介助装置１を使用状態した状態の斜視図である。
【００１０】
図１において、洋式便座ＢをトイレＡのほぼ中央に配置し、被介護者は洋式便座Ｂは手前を前面にて着座して排便をするが、図１は被介護者がトイレＡを使用してない状態を示すもので、本発明の実施例の排便介助装置１はトイレＡの一方の側壁Ｃに配備された介助手摺Ｄに取り付けられる。
この排便介助装置１は、主に、排便介助装置１を側壁Ｃに介助手摺部Ｄを介して取り付けるテーブル部３を支持する基礎部２と、被介護者がトイレ使用時にトイレ便座から転落しないよう安定姿勢に固定し、使用する被介護者の前面に位置した場合は被介護者が掴まった足り肘を付いたりするテーブル部３とから構成される。このテーブル部３は、排便時に下腹に力を入れやすくしるように、腹部に沿って内側に湾曲した湾曲受部３１１を有したテーブル部３１とし、かつ、不使用時には介護者及び被介護者が便座Ｂに容易に着座しやすように、テーブル部３を側壁Ｃに沿うように跳ね上げてられている。
【００１１】
図２、図３は、被介護者がトイレＡを使用する状態を示すもので、被介護者である使用者がトイレＡ及び排便介助装置１を利用する場合は、先ず、被介護者は洋式便座Ｂに座り、次に、図２に示すように、テーブル部材３１を側壁Ｃから倒して被介護者の腹部の前面に水平状態にする。そして、図３に示すように、水平状態のテーブル部材３１を被介護者の腹部にまで後方に押し込んで使用状態にする。この際、必要に応じて、水平状態のテーブル部３下に位置するロック部４でテーブル部材３１を固定する。敢えて、このロック部４をテーブル部３下に位置させたのは、介護者には操作可能であるが、被介護者が自らは操作することが出来ないようにするためであり、介護者が近辺に不在の場合に、被介護者が自らが不意に立ち上がることを防ぎ、結果として、被介護者の立ち上がることによる転倒を防ぐことができる。
【００１２】
ここで、さらに詳しく各構成を説明するが、先ず、主に基礎部２の構成を説明する。
図４は、図１の排便介助装置１の拡大図、図５は図４の左側面図であるが、基礎部２は１対の上下に延びる脚支持枠２１が設けられ、この脚支持枠２１の両端近傍には計４本の支持脚部２２を設けられ、支持脚部２２の先端には壁面に圧着する円形の接圧部２３を設けられている。
なお、支持脚部２２は１本でも２本でも良いが、３本以上の複数であれば安定な平面が形成されより安定する。接圧部２３もゴム、プラスチック、金属等で、側壁に圧着する形状であればよい。
また、１対の脚支持枠２１の中間の適所には、介助手摺部Ｄに基礎部２を固定する固定部２４が設けられ、この左右一対の固定部２４と４本の支持脚２２とによって基礎部２は強固に側壁Ｃに固定される。なお、４本の支持脚部２２の長さは、介助手摺部Ｄの側壁Ｃからの距離によって決まるが、予め所定の長さにしても、或いは、脚部の棒状部にネジを設け長さを調整するようにしてもよい。
さらに、この基礎部２には、テーブル部３をスライドさせるレール部２５を連結枠体２６を介して脚支持枠２１に取り付ける。このレール部２５のレール表面の適所には、後述するロック部４の雌ネジ４１(図５参照)が設けられ、さらに、後述するテーブル部３が垂直に跳ね上がるを規制する規制板２７が設けられている。
【００１３】
次に、主にテーブル部３の構成を、図６、図７を加えて説明する。
図６は、図２の排便介助装置１の拡大図、図７は図６の平面図であるが、テーブル部３の左右側部のどちらかには、基礎部２のレール部２５に嵌合して前後にスライドするスライド部３２が設けられ、スライド部３２のほぼ中央には、テーブル部３が垂直及び水平に回動する回動部５を介してテーブル部材３１が設けられている。
被介護者である使用者が被介護者は洋式便座Ｂに座ると、図５の状態の跳ね上げた状態のテーブル部材３１を、介護者或いは被介護者は、テーブル部材３１を手で図６、図７のように水平状態にする。
この場合のテーブル部３を取り出したのが、図８、図９であるが、図８が図４に対応し、図９は図６に対応したもので、テーブル部材３１とスライド部３２と間に回動部５が設けあれ、この回動部５の拡大図が図１０、図１１で、図１０が図８に対応し、図１１が図９に対応している。
【００１４】
テーブル部材３１を回動する回動部５は、主に、図１０に示すように、一方はスライド部３２側の回動部材取付部５１に取り付けあれ、他方はテーブル部材３１側の回動部材取付部５２とに取り付けあれ、両者はそれぞれに設けられた回動中心に設けあれた回動軸孔５１１，５２１に、回動軸となるボルト５３が挿入され、ワッシャー５５とコイルバネ５６を介在させてナット５４で適宜のバネ圧を与えて締め付け力で固定される。この適度の締め付け力はテーブル部材３１の重量にもよるが、テーブル部材３１が水平及び垂直の任意の角度で、手を離しても停止する程度にナット５４の締め付け度合いを調整する。
本実施例では、テーブル部材３１は約９０度回動するようにしてあり、この機構を図１０で説明すると、スライド部３２側の回動部材取付部５１の回動軸孔５１１，５２１の近傍にストッパ５７が設けられ、このストッパ５７に対応してテーブル部材３１側の回動部材取付部５２には９０度を介して、互いに開度９０度の位置に対向する一対の係止片５８が設けられ、テーブル部材３１が必要以上に回動しないように、また、テーブル部材３１を使用状態では水平状態を維持するように規制する。
【００１５】
次に、図３及び図１２に示すように、トイレ用の排便介助装置１の水平状態のテーブル部３を後方に押し込んで、被介護者が排便介助装置１を使用状態した状態を説明する。
前述の図２、図６、図７でテーブル部材３１を水平状態にしているので、図６で、回動部５及びテーブル部材３１が規制板２７に進行を阻止されることなく、図１２に示すように、スムースにテーブル部３を後方に押し込めば、被看護者の排便準備はほぼ完了する。
ここで、テーブル部３を被介護者にとって使用状態に維持するロック機構であるロック部４を説明する。
図４に戻って、ロック部４は、レール部２５をスライドするスライド部３２は水平に長孔３２１を設け、この長孔３２１に対応するレール部２５には雌ネジ４１(図５参照)を孔設し、長孔３２１を貫通するように雄ネジ４２(図４参照)を雌ネジ４１に嵌合して、雄ネジ４２の頭部のツマミ４３を回して、スライド部３２をレール部２５に対して締め付けてロックする。
【００１６】
このレール部２５の雌ネジ４１の位置は、図４、図１２に示すように、雄ネジ４２が係合した状態で、テーブル部３が引出状態及び跳ね出し状態と、押し込み状態に移動可能な位置に設ける必要がある。
図１２では、被介護者にとって使用状態であるが、図示するように、テーブル部材３１は押し込まれているので、ロック部４のツマミ４３がテーブル部材３１の手前の直下に位置するようになり、ロック解除する操作には介護者は操作可能であるが、被介護者が自らは操作することが出来ず、安易にロック手段を解除してテーブル部を跳ね上げることが出来ないので、被介護者が不意に立ち上がることを防げ、立ち上がることによる転倒を防げる。
なお、ロック部４のロック或いはロック解除を操作する位置は、雄ネジ４２及びツマミ４３が長孔３２１に対して移動範囲が長いので、被介護者にとって最適の位置にツマミ４３を回動して固定すれば、被介護者にとって最も排便し易い位置にテーブル部３を固定することができる。
【００１７】
以上、実施例のトイレ用の排便介助装置１の使用方法を構成とともに説明したが、被介護者が排便を済ませ、トイレＡから退室する手順は上述した逆の手順で行えばよい。
すなわち、まず、ロック部４のツマミ４３を回して、スライド部３２をレール部２５に対して締め付けを緩めてロックを解除し、スライド部３２を移動可能し、次に、テーブル部材３１を手前に引いて、被介護者からテーブル部材３１を引き離し、次いで、テーブル部材３１を跳ね上げ可能位置まで移動させ、図２の状態にした後に、テーブル部３１を跳ね上げて、図１の状態して排便は完了する。
【００１８】
上述したように、本発明のトイレ用の排便介助装置１の実施例によれば、テーブル部３が洋式便座の前方で垂直及び水平に回動するともに水平状態では前後にスライドするので、被介護者が洋式便座に座る場合や、退座する場合がスムースにでき、介護者が水平上状態で後方で被介護者の腹部側に押し込んだ適宜の位置でロック部４でロックするようにしたので、被介護者の体位が安定し、前かがみの姿勢になって力んでもトイレ便座から転落することもなく、テーブル部３があるので下腹に力を入れやすく、立ち上がって転倒することが防げる。
テーブル部のテーブル部材には、被介護者の腹部の形状に沿った湾曲した湾曲受部３１１を設けたので、被介護者を腹部の前面全体で支持するので、より安全で確実に被介護者を支持でき、また、前記ロック部４はテーブル部３を後方の腹部にスライドして被介護者の使用時及び使用後にテーブル部材３１の手前で前面で下側に位置するようにしたので、このロック解除操作が介護者は操作可能であるが、被介護者が自らは操作することが出来ず、したがって、安易にロック手段を解除してテーブル部を前面に押し出して跳ね上げることが出来ないので、介護者が近辺に不在の場合に、被介護者が自らが不意に立ち上がることを防げ、立ち上がることによる転倒を防げる。なお、テーブル部３が前後にスライドし、跳ね上がるので、使用前はだれでもロック部を操作することができる。
【００１９】
また、基礎部２は４本の支持脚部２２を壁面に圧着させるとともに、介助手摺部Ｄに固着する固定部２４を設けて固定するので強固に壁に固定でき、従来の床まで延びる垂直支柱がないので、被介護者がつまずくこともない。なお、支持脚部２２は３本以上であれば安定的に固定できるが、基礎部２を強固に側壁に固定できるのであれば１本でも２本でもよい。
さらに、規制板２７によりりテーブル部３が垂直に跳ね上がるを規制しているので、規制板によりりテーブル部が垂直に跳ね上がるを規制しているので、テーブル部が便座に座った被介護者の直前でテーブル部が跳ね上がることがなく、被看護者の顔等に当たって思わぬ怪我等をすることを防ぐことが出来る。
なお、本発明の特徴を損なうものでなければ、上記の実施例に限定されるものでないことは勿論である。
【符号の説明】
【００２０】
Ａ・・トイレ、Ｂ・・洋式便座、Ｃ・・側壁、Ｄ・・介助手摺部
１・・トイレ用の排便介助装置、
２・・基礎部、２１・・脚支持枠、２２・・支持脚部、
２３・・接圧部、２４・・固定部、２５・・レール部、
２６・・連結枠体、２７・・規制板、
３・・テーブル部、３１・・テーブル部材、３１１・・湾曲受部、
３２・・スライド部、
３２１・・長孔、
４・・ロック部(ロック手段)、４１・・雌ネジ、
４２・・雄ネジ、４３・・ツマミ
５・・回動部、５１・・（スライド部側)回動部材取付部、
５１１・・回動軸孔、５２・・（テーブル部材側)回動部材取付部、
５２１・・回動軸孔、
５３・・ボルト(回動軸)、５４・・ナット、５５・・ワッシャー、
５６・・コイルバネ、５７・・ストッパ、５８・・係止片、
【要約】      （修正有）【課題】病人や高齢者等の被介護者が洋式便座を使用する際に、トイレの洋式便座から転落しないようし、下腹に力を入れやすくし、かつ、洋式便座に座る場合や退出する場合に、出入りがスムースで、つまずくことが無い排便介助装置を提供する。【解決手段】洋式便座Ｂを備えたトイレの側壁Ｃに備えた排便介助装置であって、排便介助装置は側壁Ｃに設けられた介助手摺部Ｄに固定する基礎部２と、基礎部２に対して、テーブル部３が洋式便座Ｂの前方で垂直及び水平に回動するともに水平状態では前後にスライドし、水平上状態で後方に押し込んだ適宜の位置でロック手段でロックする。【選択図】図３【図１】
0005886399.tif 000002
【図２】
0005886399.tif 000003
【図３】
0005886399.tif 000004
【図４】
0005886399.tif 000005
【図５】
0005886399.tif 000006
【図６】
0005886399.tif 000007
【図７】
0005886399.tif 000008
【図８】
0005886399.tif 000009
【図９】
0005886399.tif 000010
【図１０】
0005886399.tif 000011
【図１１】
0005886399.tif 000012
【図１２】
0005886399.tif 000013